(57)【要約】【課題】商品購入者の識別に必要な顔の詳細情報をカメラの撮影画像から得ることができる可能性が高く、カメラを設けることによる扉のデザインの制約が少なく、カメラが目立ちにくい自動販売機を提供する。【解決手段】自動販売機の扉１の略中央に縦長形状で設けられ商品情報の表示と表示商品の選択が行えるタッチパネル２ａ付きのディスプレイ２と、自動販売機の扉前方に接近した人の顔を撮影するためのカメラ１１と、自動販売機の扉前方の所定範囲内に居る人を検知する人感センサー１０と、ディスプレイ２の右隣に設けられ自動販売機の商品購入者により投入された合計金額を複数の発光部材を用いた表示部により表示する金額表示装置８と、外周に枠を有し透明材料で形成され金額表示装置８の表示部を前方から覆う表示枠１６とを備え、カメラ１１と人感センサー１０とを表示枠１６の枠内の奥に配置した。【選択図】図１
2014134906.tif 000002
【特許請求の範囲】
【請求項１】
自動販売機の扉の略中央に縦長形状で設けられ商品情報の表示と表示商品の選択が行えるタッチパネル付きのディスプレイと、自動販売機の扉前方に接近した人の顔を撮影するためのカメラと、自動販売機の扉前方の所定範囲内に居る人を検知する人感センサーと、前記ディスプレイの右隣に設けられ自動販売機の商品購入者により投入された合計金額を複数の発光部材を用いた表示部により表示する金額表示装置と、外周に枠を有し透明材料で形成され前記金額表示装置の表示部を前方から覆う表示枠とを備え、前記カメラと前記人感センサーとを前記表示枠内の奥に配置したことを特徴とする自動販売機。
【請求項２】
前記カメラの撮影方向が前記ディスプレイの中央の前方に向くように前記カメラを傾斜させて配置し、前記人感センサーの検知範囲が自動販売機の前方で前記カメラが撮影できない方向を含むように前記人感センサーを配置した請求項１に記載の自動販売機。
【請求項３】
前記カメラの高さを地面から１００ｃｍ以上１６０ｃｍ以下の高さにした請求項１または２に記載の自動販売機。
【請求項４】
前記表示枠の背面側に、前記カメラの撮影と前記人感センサーによる人の検知と前記金額表示装置の表示部の前方からの視認を妨げないように前記カメラと前記人感センサーと前記金額表示装置を前方から覆い隠す不透明な化粧パネルを設けた請求項１から３のいずれか一項に記載の自動販売機。
【請求項５】
前記カメラの撮影画像と前記人感センサーの出力の少なくともどちらか一方により自動販売機の前方の所定範囲内に人が居ることを検知した時に、前記金額表示装置の表示部の表示が変化する請求項１から４のいずれか一項に記載の自動販売機。
【請求項６】
前記カメラの撮影画像と前記人感センサーの出力の少なくともどちらか一方により自動販売機の前方の所定範囲内に人が居ることを検知した時に、前記カメラの近傍から音または音声を発するスピーカーを備えた請求項１から５のいずれか一項に記載の自動販売機。
【発明の詳細な説明】
【技術分野】
【０００１】
本発明は、商品購入者の属性を収集して、商品の購入に必要な情報を、自動販売機の前面に設けたタッチ式映像表示装置に表示する自動販売機に関するものである。
【背景技術】
【０００２】
近年、自動販売機においても、商品模型を見本棚に陳列して、機械式商品選択スイッチの操作により商品を購入する方式から、映像表示ディスプレイを扉の正面に配置して、表示された商品情報の中から関連する画像に触れることで商品の購入ができるタッチ選択方式の自動販売機の普及が拡大している。
【０００３】
この種の自動販売機は商品購入者への最適なサービスを提供できるよう客層認識機能や外部との通信機能を付加することで、商品購入者に合った情報の提供や、動画や静止画による商品の宣伝やニュースの発信等を行うことができる（例えば、特許文献１参照）。
【０００４】
以下、図面を参照しながら、従来の自動販売機の構成について説明する。
【０００５】
図６は従来の自動販売機の前面の構成を示すものである。
【０００６】
図６に示すように、自動販売機の本体ケース（図示しない）前面の左端と回転自在に軸支された扉１のほぼ中央位置に配置された画像を表示するディスプレイ２における自動販売機の正面側には、透明素材であり商品購入者が触れた位置情報を入力信号として伝達する機能を有したタッチパネル２ａを設けてある。
【０００７】
また、ディスプレイ２からの画像と同期して音声を出すスピーカー３（図示しない）を備えている。
【０００８】
ディスプレイ２の右横に配置された販売商品の価格を決算する金銭処理構造４は、商品購入者が硬貨を投入する硬貨投入口４ａと、紙幣を投入する紙幣挿入口４ｂとを有する。
【０００９】
また、金銭処理構造４の下方には投入金額と商品価格を金銭処理装置（図示しない）により演算して残金を商品購入者に返却するつり銭返却口５を配置し、金銭処理構造４とつり銭返却口５の間にはＩＣカードやＩＣタグを読み取るＩＣカードリーダ６を配置し、ディスプレイ２の下方には選択された商品が搬出されて商品購入者が取出すことが出来る商品取出し口７を配置している。
【００１０】
金銭処理構造４の上方には投入された硬貨や紙幣の合計金額の表示と、自動販売機が販売中又は準備中かの表示を行う金額表示装置８を配置している。
【００１１】
ディスプレイ２の上方には、災害等の異常状態を周辺に発信する警告灯９と、扉１の前方に近づいた商品購入者の有無、及び客層識別の機能を備えた人感センサー１０と、扉正面に接近した購入者を画像データとして収集するカメラ１１が設けてある。
【００１２】
また、扉１の天面にはカメラ１１の撮影画像データを外部制御システムに送受信する通信アンテナ１２を設けている。
【００１３】
ここで自動販売機の制御構成について詳しく説明する。
【００１４】
図７は従来の自動販売機の動作を制御する制御系のブロック図である。
【００１５】
制御部は、タッチパネル２ａ、ＩＣカードリーダ６、人感センサー１０、カメラ１１からなる入力部からの入力信号と、ディスプレイ２、スピーカー３、警告灯９からなる出力部への出力信号とを送受信する入出力制御１３と、入出力制御１３の情報より自動販売機としての動作を制御する自販機コントローラ１４とを有する。
【００１６】
通信ユニット１５は、制御部が受信した入力部からの入力信号を外部制御部に送信し、外部制御部から出力された出力信号を受信する。記録装置は、入出力制御１３のデータを記録する。
【００１７】
以上のように構成された自動販売機において、以下同図を参照しながらその動作について説明する。
【００１８】
所定の場所に設置された自動販売機は、電源をオンすると自販機コントローラ１４の設定状態に基づき本体ケース内が冷却又は加温される。
【００１９】
自動販売機の管理者が所定の商品を充填して、商品の温度が所定の品温になると、販売準備が解除されて販売可能状態へと変わる。その間、ディスプレイ２は商品の紹介や、通信ユニット１５より受信した画像や音声を表示する。
【００２０】
商品を購入するため、扉１の前面に購入者が近づくと人感センサー１０又はカメラ１１の検出により接近者が有ると判定されて、ディスプレイ２の表示映像は販売画面に切替わる。
【００２１】
商品購入者が金銭処理構造４に金銭を投入すると、自販機コントローラ１４の判定により販売が可能となり、ディスプレイ２に表示された商品情報より、購入商品画像を表示する位置のタッチパネル２ａを触れることで入出力制御１３に商品が選択信号を伝わり、自販機コントローラ１４が本体ケース内の各搬出機能に動作指令信号を与えことで取出し口７まで商品が搬出される。
【００２２】
その間ディスプレイ２は、入出力制御１３からの指令により搬出動作中の映像を表示する。
【００２３】
商品購入者が商品を取出し購入操作が完了し、商品購入者が自動販売機の正面より離れると、ディスプレイ２の表示映像は商品の紹介映像に切替る。
【００２４】
カメラ１１の撮影データは、内部に設けた識別装置や通信ユニット１５から得た情報により商品購入者の年齢や性別や購入者の状態を識別して、その検出結果に基づいたサービスを商品購入者に提供できる。
【００２５】
販売の経過により多くの購入データは通信ユニット１５から外部のデータ保存装置に送られるか、記録装置に記録されて次販売時のサービス提供のためのデータとして活用される。
【先行技術文献】
【特許文献】
【００２６】
【特許文献１】特開２０１１−１１８８０７号公報
【発明の概要】
【発明が解決しようとする課題】
【００２７】
しかしながら上記従来の構成では、カメラ１１からの収集する画像データをより広範囲にするために、ディスプレイ２より高い位置に配置すると、カメラ１１を配置できるようディスプレイ２の上端部の高さに制限が出来ると共に、自動販売機の利用者の顔を撮影、識別する際は上方から見下ろして撮影することになり、帽子をかぶっている利用者や、子供など背の低い利用者、さらには車椅子を利用した利用者は、顔全体の撮影が出来ず識別が出来なくなる。
【００２８】
また撮影された画像は、撮影角度の影響で横顔になったり、商品購入者までの距離が大きくなり顔のサイズが小さくなるため、識別に必要な顔の詳細情報が少なくなり、識別精度が低下する課題があった。
【００２９】
また、カメラ１１を扉１正面に単独で配置することは目立ち易くなるため、撮影を嫌がる人は、自動販売機に近寄り難く商品売上げが低下する可能性がある。そのため、カメラ１１の周辺部の色調を変える等と目立たない処置を行うため、自動販売機のデザインが大きく制限されるという課題があった。
【００３０】
本発明は上記従来の課題を解決するものであり、商品購入者の識別に必要な顔の詳細情報をカメラの撮影画像から得ることができる可能性が高く、カメラを設けることによる扉のデザインの制約が少なく、カメラが目立ちにくい自動販売機を提供することを目的とする。
【課題を解決するための手段】
【００３１】
上記目的を達成するために、本発明の自動販売機は、自動販売機の扉の略中央に縦長形状で設けられ商品情報の表示と表示商品の選択が行えるタッチパネル付きのディスプレイと、自動販売機の扉前方に接近した人の顔を撮影するためのカメラと、自動販売機の扉前方の所定範囲内に居る人を検知する人感センサーと、前記ディスプレイの右隣に設けられ自動販売機の商品購入者により投入された合計金額を複数の発光部材を用いた表示部により表示する金額表示装置と、外周に枠を有し透明材料で形成され前記金額表示装置の表示部を前方から覆う表示枠とを備え、前記カメラと前記人感センサーとを前記表示枠内の奥に配置したのである。
【００３２】
上記構成において、カメラは、外周に枠を有し透明材料で形成され金額表示装置の表示部を前方から覆う表示枠の奥に、表示枠の枠内に収まるように配置されるので、カメラを設けることによる扉のデザインの制約が少なく、カメラが目立ちにくい。
【００３３】
また、カメラは金額表示装置の近傍に配置されることになり、金額表示装置は、通常、金額表示を視認し易くするために、標準的な人の目の高さに合わせて配置されるので、商品購入者の識別に必要な顔の詳細情報をカメラの撮影画像から得ることができる可能性が高くなる。
【発明の効果】
【００３４】
本発明の自動販売機は、カメラを、外周に枠を有し透明材料で形成され金額表示装置の表示部を前方から覆う表示枠の奥に、表示枠の枠内に収まるように配置したので、カメラを設けることによる扉のデザインの制約が少なく、カメラが目立ちにくい。
【００３５】
また、金額表示装置の近傍にカメラが配置されるので、商品購入者の識別に必要な顔の詳細情報をカメラの撮影画像から得ることができる可能性が高くなる。
【図面の簡単な説明】
【００３６】
【図１】本発明の実施の形態１における自動販売機の正面図
【図２】同実施の形態の自動販売機の金額表示装置とその周辺部を示す要部正面図
【図３】同実施の形態の自動販売機の金額表示装置とその周辺部を背面側の右斜め上方から見た要部斜視図
【図４】同実施の形態の自動販売機の制御系のブロック図
【図５】同実施の形態の自動販売機の販売動作を示すフローチャート
【図６】従来の自動販売機の正面図
【図７】従来の自動販売機の制御系のブロック図
【発明を実施するための形態】
【００３７】
第１の発明は、自動販売機の扉の略中央に縦長形状で設けられ商品情報の表示と表示商品の選択が行えるタッチパネル付きのディスプレイと、自動販売機の扉前方に接近した人の顔を撮影するためのカメラと、自動販売機の扉前方の所定範囲内に居る人を検知する人感センサーと、前記ディスプレイの右隣に設けられ自動販売機の商品購入者により投入された合計金額を複数の発光部材を用いた表示部により表示する金額表示装置と、外周に枠を有し透明材料で形成され前記金額表示装置の表示部を前方から覆う表示枠とを備え、前記カメラと前記人感センサーとを前記表示枠内の奥に配置したことを特徴とする自動販売機である。
【００３８】
上記構成において、カメラは、外周に枠を有し透明材料で形成され金額表示装置の表示部を前方から覆う表示枠の奥に、表示枠の枠内に収まるように配置されるので、カメラが金額表示装置と一体化されたようになり、カメラを設けることによる扉のデザインの制約が少なく、また、カメラが目立ちにくい。
【００３９】
また、カメラは金額表示装置の近傍に配置されることになり、金額表示装置は、通常、金額表示を視認し易くするために、標準的な人の目の高さに合わせて配置されるので、商品購入者の識別に必要な顔の詳細情報をカメラの撮影画像から得ることができる可能性が高くなる。
【００４０】
第２の発明は、第１の発明において、前記カメラの撮影方向が前記ディスプレイの中央の前方に向くように前記カメラを傾斜させて配置し、前記人感センサーの検知範囲が自動販売機の前方で前記カメラが撮影できない方向を含むように前記人感センサーを配置したものであり、扉正面の広範囲の購入者の有無検知と、ディスプレイ中央に接近した購入者の属性識別とができる。
【００４１】
第３の発明は、第１または第２の発明において、前記カメラの高さを地面から１００ｃｍ以上１６０ｃｍ以下の高さにしたものであり、カメラの高さが、商品購入者の顔の近傍の高さになるので、商品購入者の識別に必要な顔の詳細情報をカメラの撮影画像から得ることができる可能性が高くなる。
【００４２】
第４の発明は、第１から第３のいずれかの発明において、前記表示枠の背面側に、前記カメラの撮影と前記人感センサーによる人の検知と前記金額表示装置の表示部の前方からの視認を妨げないように前記カメラと前記人感センサーと前記金額表示装置を前方から覆い隠す不透明な化粧パネルを設けたものであり、化粧パネルにより、表示枠の奥のカメラが見え難くなり、カメラの存在を気付かせないようにして商品購入者に安心感を与えることが出来る。
【００４３】
なお、化粧パネルは、カメラの撮影方向に撮影用の窓、人感センサーの検知方向に人感用の窓、金額表示装置の表示部の前方に表示用の窓をそれぞれ設け、化粧パネルの前面を各窓内に見える色と似た色（例えば薄黒色）に着色したものを用いることができ、この場
合は、前方から表示枠の奥を覗き込んでも、カメラの存在が分からない可能性がより高くなる。
【００４４】
第５の発明は、第１から第４のいずれかの発明において、前記カメラの撮影画像と前記人感センサーの出力の少なくともどちらか一方により自動販売機の前方の所定範囲内に人が居ることを検知した時に、前記金額表示装置の表示部の表示が変化するものである。
【００４５】
ところで、人は、視界内の物が不意に変化した場合に、反射的に、変化した物を視認するために、変化した物のある方向に顔を向ける可能性が高い。
【００４６】
そこで、第５の発明は、自動販売機の前方の所定範囲内に人が居ることを検知した時に、金額表示装置の表示部の表示を変化させて、金額表示装置の表示部に自動販売機の前方に居る人の注意を引くことにより、自動販売機の前方の所定範囲内に居る人の正面顔（または正面により近い顔）をカメラで撮影して、より正確な人識別情報を入手することが可能になる。
【００４７】
第６の発明は、第１から第５のいずれかの発明において、前記カメラの撮影画像と前記人感センサーの出力の少なくともどちらか一方により自動販売機の前方の所定範囲内に人が居ることを検知した時に、前記カメラの近傍から音または音声を発するスピーカーを備えたものである。
【００４８】
ところで、人は、近くで不意に物音がした場合に、反射的に、物音の発生源を視認するために、物音がした方向に顔を向ける可能性が高い。
【００４９】
そこで、第６の発明は、自動販売機の前方の所定範囲内に人が居ることを検知した時に、カメラの近傍からスピーカーで音または音声を発することにより、音または音声の発生源に自動販売機の前方に居る人の注意を引いて、自動販売機の前方の所定範囲内に居る人の正面顔をカメラで撮影して、より正確な人識別情報を入手することが可能になる。
【００５０】
以下、本発明による自動販売機の実施の形態について、図面を参照しながら説明する。なお、この、実施の形態によって本発明が限定されるものではない。また従来例と同一構成については同一符号を付してその詳細な説明を省略する。
【００５１】
（実施の形態１）
図１は本発明の実施の形態１における自動販売機の正面図、図２は同実施の形態の自動販売機の金額表示装置とその周辺部を示す要部正面図、図３は同実施の形態の自動販売機の金額表示装置とその周辺部を背面側の右斜め上方から見た要部斜視図、図４は同実施の形態の自動販売機の制御系のブロック図である。
【００５２】
外周に枠を有し透明材料で表面を形成した表示枠１６は、扉１正面における地面より１００〜１６０ｃｍの高さに設けた角穴に挿入されて、扉１の内部よりネジ等で固定されている。
【００５３】
表示枠１６の裏面（扉１内部）には下方に金額表示装置８をネジで固定し、上方の右側には、検知方向をほぼ前面に固定された人感センサー１０と、左側には撮影方向をディスプレイ２の中央に固定されたカメラ１１が取付けられている。
【００５４】
表示枠１６の正面の透明部の裏面に密着する状態で、金額表示装置８と人感センサー１０とカメラ１１との表示面を透明に、他の部分は非透過となる塗料で印刷された化粧パネル１７を配置し、内部構造を見え難くしてある。
【００５５】
金額表示装置８は金額表示と自動販売機の販売中又は準備中だけでなく、来店者を検知した信号を受けて購入操作案内表示や、又は上記同様に来店者検知信号を受けて、スピーカー３から購入操作の音声案内を発するように第２自販機コントローラ１８がプログラムされてある。
【００５６】
図５は本発明の販売動作を示すフローチャートを示すものである。
【００５７】
販売準備の動作については、従来例と同じ動作に付き説明を省略する。
【００５８】
商品を購入するため、扉１の前面に購入者が近づくと人感センサー１０又はカメラ１１の検出により接近者が有ると判定されると、ディスプレイ２の表示映像は販売画面に切替わる。その際金銭処理構造４の表示も、購入者に対し購入手順を表示することで、購入者はカメラ１１の方向を向くことになり、正面顔が撮影できる。
【００５９】
また別の方法として、スピーカー３から音声や音を発して購入者がカメラ１１の方向を向けても良い。なお、カメラ１１は顔の高さ位置に配置されていることから、ほぼ水平方向の接近した画像が取得でき、帽子をかぶっている購入者や眼鏡をかけている購入者でも詳細な画像が取得できる。
【００６０】
商品購入操作については、従来例と同じ動作に付き説明を省略する。
【００６１】
カメラ１１の撮影データは、従来例と同様に内部に設けた識別装置や通信ユニット１５から得た情報により商品購入者の年齢や性別や購入者の状態を識別するが、識別精度が高いデータが取得でき、商品購入者へのサービスの提供や、次販売時のサービス提供のためのデータとして活用される。
【００６２】
以上のような構成により、扉正面から見ると通常の自動販売機と同様の装備であり、商品購入者は違和感無く扉正面に接近できると共に、扉のあらゆる箇所に機能を配置しないため良好な扉デザインに出来る。
【００６３】
またカメラの撮影においても、商品購入者の最も接近した位置にカメラを配置し、カメラ方向に購入者が向くように金額表示装置８を変化させるか、音声で案内することで、属性を正確に行う正面顔の撮影が行えて精度の高い識別が行える。仮に識別条件変更等により、検知方向を変えたい場合も、カメラ１１又は人感センサー１０の検知方向を変えることができる。
【００６４】
以上説明したように本実施の形態の自動販売機は、自動販売機の扉１の略中央に縦長形状で設けられ商品情報の表示と表示商品の選択が行えるタッチパネル２ａ付きのディスプレイ２と、自動販売機の扉前方に接近した人の顔を撮影するためのカメラ１１と、自動販売機の扉前方の所定範囲内に居る人を検知する人感センサー１０と、ディスプレイ２の右隣に設けられ自動販売機の商品購入者により投入された合計金額を複数の発光部材を用いた表示部により表示する金額表示装置８と、外周に枠を有し透明材料で形成され金額表示装置８の表示部を前方から覆う表示枠１６とを備え、カメラ１１と人感センサー１０とを表示枠１６の枠内の奥に配置したことを特徴とする。
【００６５】
上記構成において、カメラ１１は、外周に枠を有し透明材料で形成され金額表示装置８の表示部を前方から覆う表示枠１６の奥に、表示枠１６の枠内に収まるように配置されるので、カメラ１１が金額表示装置８と一体化されたようになり、カメラ１１を設けることによる扉のデザインの制約が少なく、また、カメラ１１が目立ちにくい。
【００６６】
また、カメラ１１は金額表示装置８の近傍に配置されることになり、金額表示装置８は、通常、金額表示を視認し易くするために、標準的な人の目の高さに合わせて配置されるので、商品購入者の識別に必要な顔の詳細情報をカメラ１１の撮影画像から得ることができる可能性が高くなる。
【００６７】
また、本実施の形態の自動販売機は、カメラ１１の撮影方向がディスプレイ２の中央の前方に向くようにカメラ１１を傾斜させて配置し、人感センサー１０の検知範囲が自動販売機の前方でカメラが撮影できない方向を含むように（扉前方右斜め下方が検知方向の中心になるように）人感センサー１０を配置したので、扉正面の広範囲の購入者の有無検知と、ディスプレイ２の中央に接近した購入者の属性識別とができる。
【００６８】
また、本実施の形態の自動販売機は、カメラ１１の高さを地面から１００ｃｍ以上１６０ｃｍ以下の高さにしているが、こうすると、カメラ１１の高さが、商品購入者の顔の近傍の高さになるので、商品購入者の識別に必要な顔の詳細情報をカメラ１１の撮影画像から得ることができる可能性が高くなる。
【００６９】
また、本実施の形態の自動販売機は、表示枠１６の背面側に、カメラ１１の撮影と人感センサー１０による人の検知と金額表示装置８の表示部の前方からの視認を妨げないようにカメラ１１と人感センサー１０と金額表示装置８を前方から覆い隠す不透明な化粧パネル１７を設けているが、化粧パネル１７により、表示枠１６の奥のカメラ１１が見え難くなり、カメラ１１の存在を気付かせないようにして商品購入者に安心感を与えることが出来る。
【００７０】
なお、化粧パネル１７は、カメラ１１の撮影方向に撮影用の窓、人感センサー１０の検知方向に人感用の窓、金額表示装置８の表示部の前方に表示用の窓をそれぞれ設け、化粧パネル１７の前面を各窓内に見える色と似た色（例えば薄黒色）に着色したものを用いているが、こうすることにより、前方から表示枠１６の奥を覗き込んでも、カメラ１１の存在が分からない可能性がより高くなる。
【００７１】
また、本実施の形態の自動販売機は、カメラ１１の撮影画像と人感センサー１０の出力の少なくともどちらか一方により自動販売機の前方の所定範囲内に人が居ることを検知した時に、金額表示装置８の表示部の表示が変化する。
【００７２】
換言すると、制御部の入出力制御１３が、カメラ１１の撮影画像と人感センサー１０の出力の少なくともどちらか一方により自動販売機の前方の所定範囲内に人が居ることを検知した時に、金額表示装置８の表示部の表示を変化させる。
【００７３】
ところで、人は、視界内の物が不意に変化した場合に、反射的に、変化した物を視認するために、変化した物のある方向に顔を向ける可能性が高い。
【００７４】
そこで、本実施の形態は、制御部の入出力制御１３が、自動販売機の前方の所定範囲内に人が居ることを検知した時に、金額表示装置８の表示部の表示を変化させて、金額表示装置８の表示部に自動販売機の前方に居る人の注意を引くことにより、自動販売機の前方の所定範囲内に居る人の正面顔（または正面により近い顔）をカメラ１１で撮影して、より正確な人識別情報を入手することが可能になる。
【００７５】
また、本実施の形態の自動販売機は、カメラ１１の撮影画像と人感センサー１０の出力の少なくともどちらか一方により自動販売機の前方の所定範囲内に人が居ることを検知した時に、カメラ１１の近傍から音または音声を発するスピーカー３を備えている。
【００７６】
換言すると、制御部の入出力制御１３が、カメラ１１の撮影画像と人感センサー１０の出力の少なくともどちらか一方により自動販売機の前方の所定範囲内に人が居ることを検知した時に、カメラ１１の近傍に配置したスピーカー３から音または音声を出す。
【００７７】
ところで、人は、近くで不意に物音がした場合に、反射的に、物音の発生源を視認するために、物音がした方向に顔を向ける可能性が高い。
【００７８】
そこで、本実施の形態は、制御部の入出力制御１３が、自動販売機の前方の所定範囲内に人が居ることを検知した時に、カメラの近傍からスピーカー３で音または音声を発することにより、音または音声の発生源に自動販売機の前方に居る人の注意を引いて、自動販売機の前方の所定範囲内に居る人の正面顔をカメラ１１で撮影して、より正確な人識別情報を入手することが可能になる。
【産業上の利用可能性】
【００７９】
以上のように、本発明にかかる自動販売機は、商品購入者の識別に必要な顔の詳細情報をカメラの撮影画像から得ることができる可能性が高く、カメラを設けることによる扉のデザインの制約が少なく、カメラが目立ちにくいので、見栄えが重要視され、カメラ撮影を意識させずに商品購入者等の利用者の属性を精度良く収集したい用途に適している。
【符号の説明】
【００８０】
２  ディスプレイ
２ａ  タッチパネル
３  スピーカー
８  金額表示装置
１０  人感センサー
１１  カメラ
１６  表示枠
１７  化粧パネル
【図１】
2014134906.tif 000003
【図４】
2014134906.tif 000004
【図５】
2014134906.tif 000005
【図６】
2014134906.tif 000006
【図７】
2014134906.tif 000007
【図２】
2014134906.tif 000008
【図３】
2014134906.tif 000009